(57)【要約】【課題】目地幅の深さや幅が変化してもシールリップが目地からはみ出して見映えが損なわれたり、シール性が損なわれることがないようにすると共に、一定量以上の転びを生じないようにしてシール性が損なわれることがないようにした目地ガスケットを提供する。【解決手段】柱部２２と、柱部２２の両側より突設されるシールリップ２３、２４と、中央部において柱部２２の目地装入側端に連結部２５により破断可能に連結される転び防止用のリップ２６とよりなり、シールリップ２４は外壁材２９の面取りされた奥内側のコーナ部に弾接してシールし、屋内への浸水を防止できるようになっている。転び防止用のリップ２６は、支えリップ３１と突部３２を有し、ガスケット２１が目地２８に傾いた状態で装入されるようなことがあっても、リップ２６が外壁材端面に当たって踏ん張った状態となり、それ以上傾かないようにする。【選択図】図７
2005061170.tif 000002
【特許請求の範囲】
【請求項１】
建物外壁の外壁材間あるいは外壁材とサッシ枠との間の目地に装着されるゴム又は樹脂製の目地ガスケットであって、柱部と、該柱部の両側より左右対称形をなして突設され、目地に装着したとき、外壁材端面或いはサッシ枠端面に弾接するシールリップと、左右対称形をなして柱部の目地装入端に破断可能な連結部を介して１または複数一連に連結され、目地に装入するとき外壁材端面或いはサッシ枠端面に当たって目地ガスケットの転びを防止する転び防止用のリップとよりなることを特徴とする目地ガスケット。
【請求項２】
上記転び防止用のリップが中央部の一箇所で連結部により連結され、転び防止用のリップの傾きを規制する規制手段が設けられることを特徴とする請求項1記載の目地ガスケット。
【請求項３】
上記転び防止用のリップが複数の連結部により連結されることを特徴とする請求項1記載の目地ガスケット。
【請求項４】
上記シールリップが柱部の長手方向に適宜の間隔をおいて複数設けられると共に、目地表側のシールリップを除くシールリップのうち、少なくとも一つが目地表側のシールリップよりも長く形成され、外壁材の奥内側コーナ部が面取りされていても、該コーナ部に弾接可能であることを特徴とする請求項１ないし３のいずれかの請求項に記載の目地ガスケット。
【発明の詳細な説明】
【技術分野】
【０００１】
本発明は、建物外壁の外壁材間或いは外壁材とサッシ枠との間の目地に装着される目地ガスケットに関する。
【背景技術】
【０００２】
この種の目地ガスケットは、建物外壁の外壁材間の目地、或いは外壁材とサッシ枠との間の目地を止水するために用いられる。図１は、その一例を示すもので、柱部１と、柱部１の両側に突設されるシールリップ２よりなる、ゴムまたは樹脂の成形品で、外壁材３間の目地４に押込んで装着され、シールリップ２が外壁材側端面に押付けられることにより止水し、目地４をシールするようになっており、シールリップ間の空間に水が入り込むようなことがあっても、縦目地であれば、この空間より下方に伝い落ちて排水され、横目地であれば保水されるか、或いは横目地端より縦目地に排水され、室内側への浸水を食い止めることができるようになっている。
【０００３】
図１に示すような成形品よりなる目地ガスケットは、可燃性で耐火性がないが、耐火性を必用とする箇所に取付けるときには、シリコーンスポンジ、グラスウール、ロックウール等の耐火材が併用されるか、或いは耐火材が埋設される。図２は、耐火材を埋設した例を示すもので、シールリップ６を側方に突設したゴムまたは樹脂製の目地ガスケット７と、目地ガスケット７内に埋設される、発泡性耐火材よりなる芯材８よりなり、芯材８はガスケット７に形成した切り口より目地ガスケット内に押込んで装着されるか、或いは目地ガスケット７と共に共押出し成形されるようになっている。
【０００４】
目地ガスケットはいずれのタイプにしても目地幅や深さが一定していると、図１に示すように、シールリップ２が目地４からはみ出すことなく装着することができるが、目地幅Ｗが例えばＷ１になると、図の一点鎖で示すように線表側のシールリップ２が目地４よりはみ出して見映えが損なわれたり、シール性が損なわれるようになる。目地４の深さＨについてもサッシ枠の厚みやサッシ枠を止着するビスの有無（図１には、サッシ枠とビスは図示していない）によって深さＨが変化し、深さＨが小さいと同様になる。この問題を解決するため下記特許文献１には、図３に示すように、目地ガスケット１１の柱部１２の目地挿入側端に高さ調節部材１３を１ないし複数連接して一体に形成したものが提案され、目地ガスケット１１を目地に装入したとき、図１の一点鎖線で示すように、表側のシールリップ２が目地４よりはみ出す際には、目地ガスケット１１の高さ調節部材１２を１または複数ないし全てをもぎ取って高さ調整を行い、シールリップ２が目地からはみ出すことがないようにしている。
目地ガスケットはまた、目地への装入時に傾いて、いわゆる「転び」を生じ易い。
【０００５】
図４は、図１に示す目地ガスケットを用いて目地４に押込んだとき、柱部１が外壁材３端面に当たる限度まで傾いて転びを生じたときの状態を示すもので、図示する状態では表側のシールリップ２の一方が外壁材３端面より離れ、シール性を低下させている。
【特許文献１】実願昭６１−１８０６７９号（実開昭６３−８５７０８号）
【発明の開示】
【発明が解決しようとする課題】
【０００６】
本発明は、上記の問題を解消することを目的としてなされたもので、目地幅の深さや幅が変化してもシールリップが目地からはみ出して見映えが損なわれたり、シール性が損なわれることがないようにすると共に、一定量以上の転びを生じないようにしてシール性が損なわれることがないようにした目地ガスケットを提供しようとするものである。
【課題を解決するための手段】
【０００７】
すなわち本発明は、建物外壁の外壁材間あるいは外壁材とサッシ枠との間の目地に装着されるゴム又は樹脂製の目地ガスケットであって、柱部と、該柱部の両側より左右対称形をなして突設され、目地に装着したとき、外壁材端面或いはサッシ枠端面に弾接するシールリップと、左右対称形をなして柱部の目地装入端に破断可能な連結部を介して１または複数一連に連結され、目地に装入するとき外壁材端面或いはサッシ枠端面に当たって目地ガスケットの転びを防止する転び防止用のリップとよりなることを特徴とし、
別の発明は、上記転び防止用のリップが中央部の一箇所で連結部により連結され、転び防止用のリップの傾きを規制する規制手段が設けられることを特徴とする。
【０００８】
ここで規制手段は、転び防止用のリップが左右に傾くのを規制することができるものであればどのようなものでもよい。こうしたものとしては、例えば柱部端の端面と、転び防止用のリップに形成される突部よりなり、転び防止用のリップが傾いて突部が柱部端の端面に当たると、リップのそれ以上の傾きが防止されるようになっているもの、転び防止用のリップに上向きに突設され、柱部端或いはシールリップの根元部分に係合可能な支えリップよりなり、転び防止用のリップが傾いて、支えリップが柱部端或いはシールリップ根元部分に当たると、リップのそれ以上の傾きが防止されるようになっているもの等を例示することができる。
【０００９】
別の発明は、上記転び防止用のリップが複数の連結部により連結されることを特徴とする。
更に別の発明は、上記シールリップが柱部の長手方向に適宜の間隔をおいて複数設けられると共に、目地表側のシールリップを除くシールリップのうち、少なくとも一つが目地表側のシールリップよりも長く形成され、外壁材の奥内側コーナ部が面取りされていても、該コーナ部に弾接可能であることを特徴とする。
【発明の効果】
【００１０】
本発明によると、目地に装入したとき、シールリップが目地よりはみ出すおそれがあるとき、或いは目地よりはみ出すときには、目地ガスケットを目地より一旦取り外し、転び防止用のリップを必要数、すなわち、１又は複数破断して長さ調整を行ったのち目地に装入する。これによりシールリップが目地よりはみ出して見映えが損なわれたり、シール性が損なわれるのを解消することができる。また目地への挿入時に目地ガスケットが傾こうとすると、転び防止用のリップが外壁材端面或いはサッシ枠端面に当たって踏ん張り、一定量以上の転びが生じないようにする。
【００１１】
転び防止用のリップが中央部の一箇所で連結される場合、破断によるリップの分離が容易となる。また連結部は可撓性を増す程、左右に傾き易くなり、目地への装入時に傾いて外壁材端面或いはサッシ枠端面に片当たりし、目地ガスケットを傾かせたり、装入時の抵抗が増し、装入しにくくなるが、規制手段によりリップの傾きが規制されるため上述するような問題が生ずることはない。
【００１２】
転び防止用のリップが複数の連結部で連結される場合、リップの姿勢が安定し、目地装入時に左右に傾くのを防止することができる。
複数のシールリップのうち、少なくとも一つを長く形成しておくと、外壁材の面取りされたコーナ部にも弾接可能となり、屋内への浸水を防ぐことができる。
【発明を実施するための最良の形態】
【００１３】
図５に示す目地ガスケット２１は、硬質又は軟質の熱可塑性エラストマーＴＰＯ、ポリプロピレンＰＰ、ポリエチレンＰE等、シーリング材と接着しない材質よりなる成形品で、柱部２２と、柱部２２の長手方向に適宜の間隔をおき、かつ柱部の両側より左右対称形をなして突設され、目地に装着したとき、外壁材端面やサッシ枠端面に弾接するシールリップ２３、２４と、左右対称形をなして中央部において柱部２２の目地装入側端に細い連結部２５により破断可能に連結される転び防止用のリップ２６とよりなり、柱部２２内には、熱膨張性耐火材、例えば三井金属塗料化学株式会社製のメジヒカットＨ（商品名）、株式会社アスクテクニカ製のカットシートＧ  ＥＸＰ５７（商品名）よりなる芯材２７が埋設されている。この芯材２７は目地ガスケット２１を成形後に柱部２２に形成した切り口を開いて押込むことにより埋設されるか、或いは目地ガスケット２１と同時押出成形される。
【００１４】
シールリップ２３、２４のうち、目地装入側のシールリップ２４は長く形成され、図６に示すように目地ガスケット２１を目地２８に装入したとき、外壁材２９の面取りされた奥内側のコーナ部に弾接してシールし、屋内への浸水を防止できるようになっている。
【００１５】
転び防止用のリップ２６は、斜め上向きに突設する支えリップ３１と突部３３を有し、支えリップ３１がシールリップ根元部分に当たり、また突部３３が柱部端の湾曲面３４に当たることにより、リップ２６のそれ以上の傾きを規制できるようになっている。
上述する目地ガスケット２１は、柱部２２に熱膨張性耐火材よりなる芯材を埋設しているが、熱膨張性耐火材よりなる芯材を埋設しなくてもよい。
【００１６】
図６は外壁材２９とサッシ枠３２との間に形成される目地２８に目地ガスケット２１を装着した例を示すもので、目地２８に目地ガスケット２１を押込む際、ガスケット２１が例え図７に示すように傾いて押し込められるようなことがあっても、転び防止用のリップ２６が外壁材端面又はサッシ枠端面に当たって踏ん張った状態となり、それ以上図の矢印方向に傾かないようにし、シールリップ２３と外壁材端面との間に隙間が生じないようにしている。なお図６において、３５は目地ガスケット２１の目地２８に装填されるシーリング材を示し、３６はサッシ枠３２を柱３７に止着するビスを示す。
【００１７】
図８に示す目地ガスケット３８は、図５に示す目地ガスケット２１において、転び防止用のリップ２６に代えて転び防止用のリップ３９を設け、柱部下端の湾曲面３４の両エッジに連結部４０にて破断可能に連結してなるものである。
【００１８】
図９は、図８に示す目地ガスケット３８を用いて目地２８に傾いた状態で押込んだ状態を示すもので、この場合、リップ３９が外壁材端面又はサッシ枠に当たって踏ん張った状態となり、それ以上のガスケット３８の傾きが規制されてシールリップ２３と外壁材端面との間の隙間ができないようにしている。
【産業上の利用可能性】
【００１９】
本発明の目地ガスケットは、建物外壁の外壁材間あるいは外壁材とサッシ枠との間の横目地及び縦目地の各目地に装着することができる。
【図面の簡単な説明】
【００２０】
【図１】目地に装着された従来の目地ガスケットの断面図。
【図２】耐火材を埋設した従来の目地ガスケットの断面図。
【図３】高さ調節部材を備えた従来の目地ガスケットの断面図。
【図４】図１に示す目地ガスケットが目地に転んだ状態で装着された状態を示す図。
【図５】本発明に係る目地ガスケットの断面図。
【図６】図５に示す目地ガスケットを目地に装着した状態を示す断面図。
【図７】図５に示す目地ガスケットが目地に転んだ状態で装着された状態を示す図。
【図８】目地に装着した本発明に係る目地ガスケットの別の例を示す断面図。
【図９】図８に示す目地ガスケットが目地に転んだ状態で装着された状態を示す図。
【符号の説明】
【００２１】
２１、３８・・目地ガスケット
２２・・柱部
２３、２４・・シールリップ
２５、４０・・連結部
２６、３９・・転び防止用のリップ
２７・・芯材
２８・・目地
２９・・外壁材
３１・・支えリップ
３２・・サッシ枠
３３・・突部
３４・・湾曲面
３５・・シーリング材
３６・・ビス
３７・・柱
【図１】
2005061170.tif 000003
【図２】
2005061170.tif 000004
【図３】
2005061170.tif 000005
【図４】
2005061170.tif 000006
【図５】
2005061170.tif 000007
【図６】
2005061170.tif 000008
【図７】
2005061170.tif 000009
【図８】
2005061170.tif 000010
【図９】
2005061170.tif 000011